【手続補正書】
【提出日】平成28年3月17日(2016.3.17)
【手続補正１】
【補正対象書類名】特許請求の範囲
【補正対象項目名】全文
【補正方法】変更
【補正の内容】
【特許請求の範囲】
【請求項１】
台車部と、前記台車部から延びる支柱と、前記支柱から延びるアームとを備える回診車と、
前記アームの先端部に配置され、被写体へ放射線を照射する放射線照射部と、
前記台車部に配置された第一の表示装置に、前記被写体を透過した放射線を検出する放射線撮影装置により撮影された放射線画像を表示させる第一の表示制御部と、
前記放射線照射部または前記アームに配置された第二の表示装置に、前記放射線画像のサムネイル画像及び前記放射線撮影装置の状態を表示させる、前記第一の表示制御部とは独立した第二の表示制御部と、
前記第一の表示制御部を含む第一の制御装置と、
前記第二の表示制御部を含む第二の制御装置と、
を備え、
前記第一の制御装置は、
前記放射線撮影装置の状態を監視する状態監視部と、
前記放射線撮影装置によって撮影された前記放射線画像を記憶する画像記憶部と、
前記画像記憶部に記憶されている前記放射線画像のサムネイル画像を生成し前記画像記憶部へ記憶するサムネイル画像生成部と、
をさらに備えることを特徴とする移動型放射線発生装置。
【請求項２】
前記第二の表示制御部は、前記放射線画像の再撮影を指示するための入力を受け付ける再撮影ボタンを含むGUIを前記第二の表示装置にさらに表示させることを特徴とする請求項1に記載の移動型放射線発生装置。
【請求項３】
前記第二の表示制御部は、前記放射線画像を無効にする写損を指示するための入力を受け付ける写損ボタンを含むGUIを前記第二の表示装置にさらに表示させることを特徴とする請求項1又は2に記載の移動型放射線発生装置。
【請求項４】
前記放射線撮影装置の状態は、撮影準備完了、撮影準備中、撮影中または撮影不可の何れかであることを特徴とする請求項1乃至3の何れか1項に記載の移動型放射線発生装置。
【請求項５】
前記第一の制御装置は、前記第二の制御装置と通信するための通信部をさらに備え、
前記第二の制御装置は、前記第一の制御装置と通信するための通信部をさらに備えることを特徴とする請求項1に記載の移動型放射線発生装置。
【請求項６】
前記第一の制御装置の前記通信部は、前記状態監視部により監視される前記放射線撮影装置の状態を前記第二の制御装置へ通知することを特徴とする請求項5に記載の移動型放射線発生装置。
【請求項７】
前記第一の制御装置の前記通信部は、前記サムネイル画像生成部により生成された前記サムネイル画像を前記第二の制御装置へ送信することを特徴とする請求項5又は6に記載の移動型放射線発生装置。
【請求項８】
前記第一の制御装置の前記通信部は、前記サムネイル画像生成部により生成された前記サムネイル画像の記憶場所を特定するための情報を前記第二の制御装置へ送信し、
前記第二の制御装置は、
前記第一の制御装置から受信した前記情報に基づいて前記第一の制御装置の前記画像記憶部から前記サムネイル画像を取得するサムネイル画像取得部を備えることを特徴とする請求項5又は6に記載の移動型放射線発生装置。
【請求項９】
前記第二の制御装置の前記通信部は、前記第二の表示装置上に表示されている前記サムネイル画像に対する操作指示内容を前記第一の制御装置へ通知することを特徴とする請求項5乃至8の何れか1項に記載の移動型放射線発生装置。
【請求項１０】
前記第一の制御装置の前記第一の表示制御部は、前記第二の制御装置から通知された前記第二の表示装置での操作指示内容に基づいて、前記第一の表示装置の表示内容を更新することを特徴とする請求項9に記載の移動型放射線発生装置。
【請求項１１】
請求項1ないし10のいずれか1項に記載の移動型放射線発生装置と、
前記放射線撮影装置と、
を有することを特徴とする放射線撮影システム。
【請求項１２】
Ｘ線撮影装置と通信する移動型Ｘ線発生装置であって、
移動台車と、
前記移動台車に結合された調整可能な支持機構と、
前記支持機構に結合されたＸ線発生部と、
前記Ｘ線発生部に結合され、Ｘ線撮影装置により撮影されたＸ線画像とアイコンとを表示する表示部と、
操作部と、
前記アイコンに対する前記操作部からの操作入力に応じて前記Ｘ線画像の撮影条件に基づく撮影条件により前記Ｘ線発生部と前記Ｘ線撮影装置とを制御する制御部と、
を有し、
前記制御部は、前記アイコンに対する操作入力があった場合に、前記Ｘ線画像に撮影失敗情報を関連付け、該Ｘ線画像を記憶部に記憶させることを特徴とする移動型Ｘ線発生装置。
【請求項１３】
Ｘ線撮影装置と通信する移動型Ｘ線発生装置であって、
移動台車と、
前記移動台車に結合された調整可能な支持機構と、
前記支持機構に結合されたＸ線発生部と、
前記Ｘ線発生部に結合され、Ｘ線撮影装置により撮影されたＸ線画像と該Ｘ線画像の撮影に用いられた撮影条件と、アイコンとを表示する、操作入力を受け付け可能な表示部と、
前記アイコンに対する前記操作入力に応じて前記撮影条件に基づく新たな未撮影の撮影条件を表示部に表示させる制御部と、
を有し、
前記制御部は、前記アイコンに対する操作入力があった場合に、前記Ｘ線画像に撮影失敗情報を関連付け、該Ｘ線画像を記憶部に記憶させることを特徴とする移動型Ｘ線発生装置。
【請求項１４】
移動台車に結合された、操作入力を受け付け可能なその他の表示部をさらに有し、
前記表示部は、前記その他の表示部に対する操作入力に応じて外部の特定の画像管理サーバへの出力を禁止することを示す情報が関連付けられた場合に、前記情報の関連付けを解除する操作入力を前記表示部が受け付けることに応じて、警告を表示させることを特徴とする請求項12又は13に記載の移動型Ｘ線発生装置。
【請求項１５】
前記制御部は、前記その他の表示部に対する操作入力に応じて外部の特定の画像管理サーバへの出力を禁止することを示す情報が関連付けられた場合に、前記情報の関連付けを解除する操作入力を前記表示部が受け付けることに応じた該解除する処理を実行しないことを特徴とする請求項14に記載の移動型Ｘ線発生装置。
【請求項１６】
移動台車に結合された、操作入力を受け付け可能なその他の表示部をさらに有し、
前記制御部は、前記表示部に対する操作入力に応じて行われる特定の処理を、前記その他の表示部に対する特定の操作入力がされているときには実行しないことを特徴とする請求項12に記載の移動型Ｘ線発生装置。
【手続補正２】
【補正対象書類名】明細書
【補正対象項目名】０００７
【補正方法】変更
【補正の内容】
【０００７】
上記の目的を達成する本発明に係る移動型放射線発生装置は、
台車部と、前記台車部から延びる支柱と、前記支柱から延びるアームとを備える回診車と、
前記アームの先端部に配置され、被写体へ放射線を照射する放射線照射部と、
前記台車部に配置された第一の表示装置に、前記被写体を透過した放射線を検出する放射線撮影装置により撮影された放射線画像を表示させる第一の表示制御部と、
前記放射線照射部または前記アームに配置された第二の表示装置に、前記放射線画像のサムネイル画像及び前記放射線撮影装置の状態を表示させる、前記第一の表示制御部とは独立した第二の表示制御部と、
前記第一の表示制御部を含む第一の制御装置と、
前記第二の表示制御部を含む第二の制御装置と、
を備え、
前記第一の制御装置は、
前記放射線撮影装置の状態を監視する状態監視部と、
前記放射線撮影装置によって撮影された前記放射線画像を記憶する画像記憶部と、
前記画像記憶部に記憶されている前記放射線画像のサムネイル画像を生成し前記画像記憶部へ記憶するサムネイル画像生成部と、
をさらに備えることを特徴とする。
【手続補正３】
【補正対象書類名】明細書
【補正対象項目名】発明の名称
【補正方法】変更
【補正の内容】
【発明の名称】移動型放射線発生装置、放射線撮影システム及び移動型Ｘ線発生装置